(57)【要約】【課題】ヘッド部の接触面に被覆シートを１枚ずつ容易に装着すること、聴診時に確実に患者内部の音を聴き取れるようにすること、保管状態の被覆シートに雑菌や塵等が付着するのを極力防止すること。【解決手段】聴診器のヘッド部５の接触面５ａに着脱可能に装着される薄板状の被覆シート２は、接触面５ａよりも大径に形成され接触面５ａに当接する当接面１０ａを有する接触壁部１０と、この接触壁部１０の外縁部から当接面１０ａ側に立ち上がった縁部１１とを有する。そして、被覆シート２は複数枚積層された状態で上方開放状の被覆シートホルダ３に収容され、被覆シート２の保管状態では、被覆シートホルダ３はキャップ部材４により上方から塞がれている。【選択図】  図３
2004329245.tif 000002
【特許請求の範囲】
【請求項１】
聴診器のヘッド部の接触面に着脱可能に装着される薄板状の被覆シートにおいて、
前記接触面よりも大径に形成され接触面に当接する当接面を有する接触壁部と、
この接触壁部の外縁部から当接面側に立ち上がった縁部と、
を有することを特徴とする聴診器用被覆シート。
【請求項２】
２枚の被覆シートを上下に重ねた状態では、上側の被覆シートの接触壁部が下側の被覆シートの縁部に下方から支持され、上下の被覆シートの接触壁部の間に隙間が形成されるように構成されたことを特徴とする請求項１に記載の聴診器用被覆シート。
【請求項３】
前記接触壁部の当接面の少なくとも一部に粘着剤が塗布されたことを特徴とする請求項１又は２に記載の聴診器用被覆シート。
【請求項４】
前記縁部が環状に形成されたことを特徴とする請求項１〜３の何れかに記載の聴診器用被覆シート。
【請求項５】
抗菌剤を担持させた紙又は合成樹脂で構成されたことを特徴とする請求項１〜４の何れかに記載の聴診器用被覆シート。
【請求項６】
聴診器のヘッド部の接触面に着脱可能に装着される薄板状の被覆シートであって、上下に積層された複数枚の被覆シートと、
これら積層された複数枚の被覆シートを収容する上方開放状の被覆シートホルダと、
この被覆シートホルダに着脱可能に装着されて被覆シートホルダを上方から塞ぐキャップ部材を有することを特徴とする聴診器用被覆シートパッケージ。
【請求項７】
前記被覆シートは、前記接触面よりも大径に形成され接触面に当接する当接面を有する接触壁部と、この接触壁部の外縁部から当接面側に立ち上がった縁部とを有し、上側の被覆シートの接触壁部が下側の被覆シートの縁部に下方から支持されて上下の被覆シートの接触壁部の間に隙間を有する状態で複数枚積層されて被覆シートホルダ内に収容されていることを特徴とする請求項６に記載の聴診器用被覆シートパッケージ。
【請求項８】
前記被覆シートホルダ内でヘッド部を下降させ、その接触面を前記複数枚の被覆シートのうちの一番上の被覆シートに接触させて、ヘッド部に被覆シートを装着するように構成したことを特徴とする請求項６又は７に記載の聴診器用被覆シートパッケージ。
【請求項９】
前記被覆シートホルダに、前記ヘッド部を被覆シートホルダ内で下降させる際にヘッド部に接続された接続チューブをガイドする為の上下方向に延びるスリットが形成されたことを特徴とする請求項８に記載の聴診器用被覆シートパッケージ。
【発明の詳細な説明】
【０００１】
【発明の属する技術分野】本発明は、聴診器のヘッド部に着脱可能に装着される被覆シートに関するものである。
【０００２】
【従来の技術】従来より、医療現場において、診察の際に聴診器が広く用いられている。そして、医師等の医療に従事する者がこの聴診器を用いて診察する場合には、聴診器のヘッド部を患者の皮膚に押し当てて、ヘッド部に伝わった心拍音や呼吸音等、患者の身体の内部で生じる音をイヤーピースを介して聴くようになっている。ところが、診察の際に、このヘッド部の皮膚との接触面を洗浄することなしに、複数の患者の皮膚に直接押し当てて使用している場合には、それら複数の患者間においてヘッド部を媒体とした雑菌等の感染が発生する虞がある。また、特に、気温が低い環境下で、患者の皮膚に金属製のヘッド部の接触面を接触させたときには、患者には、ある種の低温感が感じられることがあり、この低温感は患者にとってあまり好まれるものではない。
【０００３】
そこで、ヘッド部における患者の皮膚との接触面を使い捨てのカバー部材やシート等により覆うことで、聴診器を使用する際に常に清潔な新しいカバー部材やシート等を介して聴診することが可能な種々の技術が提案されている。例えば、特許文献１のカバー部材は弾性を有する厚さの薄い材料で構成されており、このカバー部材を聴診器のヘッド部に被せて、ヘッド部の患者の皮膚と接触する部分を覆う。
【０００４】
また、特許文献２には、聴診器のヘッド部の接触面に、紙等で形成された被覆シートを複数枚積層して構成した被覆シートの積層体が記載されている。聴診時には、この積層体は粘着剤によりヘッド部の接触面に付着され、積層体の最も外側に位置する被覆シートを患者の皮膚に押し当てて聴診した後に、患者の皮膚と接触したその外側の被覆シートだけを積層体から剥がして捨てるようになっている。
【０００５】
【特許文献１】特表２００２−５１４１１５号公報（第６−７頁、図１−８）
【特許文献２】特開２００１−７０３００号公報（第５−７頁、図１−６）
【０００６】
【発明が解決しようとする課題】しかしながら、前記特許文献１のカバー部材においては、聴診時にカバー部材がヘッド部に被さっているため、カバー部材の着脱に大変手間がかかる。特に、複数の患者を続けて聴診を行う際には、そのたびにカバー部材を別のカバー部材と取り替える必要があり、診察時に医師等に負担がかかり、診察時間が長引くことにもなりかねない。また、診察時にカバー部材が動いて雑音が発生してしまうこともある。
【０００７】
また、前記特許文献２の被覆シートにおいては、被覆シートを複数枚積層してヘッド部の接触面に付着させた状態では、積層した被覆シートの枚数によっては積層体の厚さが厚くなってしまい、聴診時に医師等が患者内部の音を正確に聴き取ることが困難になる。また、特に、何人もの患者を続けて聴診する場合などに、慌ただしい診察環境の中で外側の使用済みの被覆シートを積層体から一気に剥ぎ取ろうとすると、その下のまだ未使用の被覆シートも一緒に剥ぎ取ってしまったり、積層体全体をヘッド部から剥ぎ取ってしまう虞もある。さらには、ヘッド部に装着された使用途中の積層体においては、最も外側の被覆シートの表面は露出した状態となるため、しばらく使用していない間に被覆シートの表面に雑菌や塵等が付着する虞もある。
【０００８】
本発明の目的は、ヘッド部の接触面に被覆シートを１枚ずつ容易に装着可能に構成すること、ヘッド部を介しての患者間の感染を防止するとともに聴診時に確実に患者内部の音を聴き取れるようにすること、保管状態の被覆シートに雑菌や塵等が付着するのを極力防止すること、等である。
【０００９】
【課題を解決するための手段】請求項１の聴診器用被覆シートは、聴診器のヘッド部の接触面に着脱可能に装着される薄板状の被覆シートにおいて、前記接触面よりも大径に形成され接触面に当接する当接面を有する接触壁部と、この接触壁部の外縁部から当接面側に立ち上がった縁部とを有することを特徴とするものである。
【００１０】
この被覆シートは、聴診器のヘッド部の接触面に着脱可能に装着され、聴診の際には患者の皮膚に直接接触する。そして、この被覆シートを介して心拍音や呼吸音等の患者の身体内の音がヘッド部に伝達されて、医師等がそれらの音を聴き取るようになっている。そして、聴診後は、患者の皮膚に接触した被覆シートをヘッド部から取り外し、別の未使用の清潔な被覆シートが接触面に装着される。尚、この被覆シートは、紙やプラスチック等、音の伝達を妨げない材料で構成されるとともに、可能な限り薄いことが望ましい。
【００１１】
ここで、この被覆シートは、接触面よりも大径に形成され接触面に当接する当接面を有する接触壁部と、この接触壁部の外縁部から当接面側に立ち上がった縁部とを有するので、被覆シートの保管等のために、複数枚の被覆シートを上下に重ね合わせた場合でも、上側の被覆シートの接触壁部が下側の被覆シートの縁部に下方から支持されて、それら複数枚の被覆シートが互いに密着してしまうことがない。つまり、複数枚の被覆シートを上下に積層して保管したときに、積層された複数枚の被覆シートから被覆シートを１枚だけ取り出してヘッド部に装着することが容易になる。
【００１２】
請求項２の聴診器用被覆シートは、請求項１の発明において、２枚の被覆シートを上下に重ねた状態では、上側の被覆シートの接触壁部が下側の被覆シートの縁部に下方から支持され、上下の被覆シートの接触壁部の間に隙間が形成されるように構成されたことを特徴とするものである。従って、被覆シートの保管等のために、複数枚の被覆シートを上下に重ね合わせた場合でも、上側の被覆シートの接触壁部が下側の被覆シートの縁部に下方から支持され、上下の被覆シートの接触壁部の間に隙間が形成されているため、それら複数枚の被覆シートが互いに密着してしまうことがない。つまり、複数枚の被覆シートを上下に積層した状態で保管しても、積層された複数枚の被覆シートから被覆シートを１枚だけ取り出すことが容易になる。
【００１３】
請求項３の聴診器用被覆シートは、請求項１又は２の発明において、前記接触壁部の当接面の少なくとも一部に粘着剤が塗布されたことを特徴とするものである。複数枚の被覆シートを重ね合わせた状態では、上側の被覆シートの接触壁部が下側の被覆シートの縁部に下方から支持されるため、一方の被覆シートの当接面の少なくとも一部に塗布された粘着材が他方の被覆シートに付着せず、積層された複数枚の被覆シートから被覆シートを１枚だけ取り出すことが容易になる。
【００１４】
請求項４の聴診器用被覆シートは、請求項１〜３の何れかの発明において、前記縁部が環状に形成されたことを特徴とするものである。従って、複数枚の被覆シートを重ね合わせたときに、上側の被覆シートの接触壁部を支持する下側の被覆シートの縁部が折れ曲がりにくくなるため、複数枚の被覆シートが互いに密着するのを防止できる。
【００１５】
請求項５の聴診器用被覆シートは、請求項１〜４の発明において、抗菌剤を担持させた紙又は合成樹脂で構成されたことを特徴とするものである。従って、被覆シートを非常に薄く形成することができるし、抗菌剤により、ヘッド部に装着される前の未使用の被覆シートに雑菌が付着したり、聴診器を介して雑菌が患者に感染してしまうのを確実に防止できる。
【００１６】
請求項６の聴診器用被覆シートパッケージは、聴診器のヘッド部の接触面に着脱可能に装着される薄板状の被覆シートであって、上下に積層された複数枚の被覆シートと、これら積層された複数枚の被覆シートを収容する上方開放状の被覆シートホルダと、この被覆シートホルダに着脱可能に装着されて被覆シートホルダを上方から塞ぐキャップ部材を有することを特徴とするものである。薄板状の被覆シートは、複数枚積層した状態で上方開放状の被覆シートホルダ内に収容されている。従って、複数枚の被覆シートを被覆シートホルダ内にコンパクトに保管することができるし、被覆シートホルダから被覆シートを取り出すのも容易である。さらに、普段は、被覆シートホルダがキャップ部材により上方から塞がれて被覆シートが被覆シートホルダ内に保管されているため、被覆シートホルダ内の未使用の被覆シートに雑菌や塵等が付着するのを防止できる。
【００１７】
請求項７の聴診器用被覆シートパッケージは、請求項６の発明において、前記被覆シートは、前記接触面よりも大径に形成され接触面に当接する当接面を有する接触壁部と、この接触壁部の外縁部から当接面側に立ち上がった縁部とを有し、上側の被覆シートの接触壁部が下側の被覆シートの縁部に下方から支持されて上下の被覆シートの接触壁部の間に隙間を有する状態で複数枚積層されて被覆シートホルダ内に収容されていることを特徴とするものである。
【００１８】
被覆シートホルダ内では、複数枚の被覆シートが積層した状態で収容されているが、２枚の被覆シートの間において、上側の被覆シートの接触壁部が下側の被覆シートの縁部に下方から支持され、上下２枚の被覆シートの接触壁部の間に隙間が形成されているため、複数枚の被覆シートが互いに密着してしまうことがない。つまり、被覆シートホルダ内で積層された複数枚の被覆シートから、被覆シートを１枚だけ取り出すことが容易になる。
【００１９】
請求項８の聴診器用被覆シートパッケージは、請求項６又は７の発明において、前記被覆シートホルダ内でヘッド部を下降させ、その接触面を積層した複数枚の被覆シートのうちの一番上の被覆シートに接触させて、ヘッド部に被覆シートを装着するように構成したことを特徴とするものである。従って、被覆シートホルダ内でヘッド部を下降させ、そのヘッド部の接触面を被覆シートホルダ内の積層された複数枚の被覆シートのうちの一番上にある被覆シートに接触させて、ヘッド部の接触面に１枚の被覆シートを着脱可能に装着する。
【００２０】
請求項９の聴診器用被覆シートパッケージは、請求項９の発明において、前記被覆シートホルダに、前記ヘッド部を被覆シートホルダ内で下降させる際にヘッド部に接続された接続チューブをガイドする為の上下方向に延びるスリットが形成されたことを特徴とするものである。従って、ヘッド部に被覆シートを装着する際には、ヘッド部に接続された接続チューブがスリットにガイドされた状態で、ヘッド部が被覆シートホルダ内で下降することになるため、ヘッド部を下降させる際に接続チューブが被覆シートの装着作業の邪魔にならない。
【００２１】
【発明の実施の形態】本発明の実施の形態について説明する。本実施形態は、聴診器のヘッド部を介して患者間で雑菌等が感染するのを防止することを目的として聴診器のヘッド部に着脱可能に装着される被覆シートに本発明を適用したものである。尚、図１の上下方向を上下方向として以下説明する。
【００２２】
図１〜図３は、本実施形態の被覆シートパッケージ１を示し、この被覆シートパッケージ１は、上下に積層された複数枚の被覆シート２と、これら積層された複数枚の被覆シート２を収容する上方開放状の被覆シートホルダ３と、この被覆シートホルダ３に着脱可能に装着されて被覆シートホルダ３を上方から塞ぐキャップ部材４を有する。
【００２３】
まず、被覆シート２について説明する。
この被覆シート２は、聴診器のヘッド部５を介しての雑菌等の感染を防止するためにヘッド部５の接触面５ａに着脱可能に装着され、聴診の際には、接触面５ａに装着された被覆シート２を介してヘッド部５が患者の皮膚に押し当てられる。そして、被覆シート２は、薄い（例えば、厚さ０．６ｍｍ程度）の紙により円板状に形成されており、心拍音や呼吸音等、患者の身体内の音が被覆シート２からヘッド部５に伝わりやすくなっている。また、被覆シート２を構成する紙には抗菌剤を含浸されており、雑菌等が被覆シート２に付着するのが極力防止される。
【００２４】
図４、図５に示すように、被覆シート２は、前述の薄い紙をプレス加工して成形され、被覆シート２は、ヘッド部５の接触面５ａよりも大径に形成され接触面５ａに当接する当接面１０ａを有する接触壁部１０と、この接触壁部１０の外縁部から全周に亙って上方（当接面１０ａ側）に立ち上がった環状の縁部１１とを備えている。尚、接触壁部１０の高さは、紙厚（接触壁部１０の厚さ）の２倍程度（例えば、約１．２ｍｍ）である。接触壁部１０の当接面１０ａの中央部には、被覆シート２をヘッド部５に付着させるための粘着剤１２が薄膜状に塗布されている。
【００２５】
ところで、図３に示すように、被覆シート２は、後述の被覆シートホルダ３内に複数枚が積層した状態で収容される。ここで、２枚の被覆シート２を上下に重ねた状態では、上側の被覆シート２の接触壁部１０が下側の被覆シート２の縁部１１に下方から支持される。前述したように、接触壁部１０の高さは、紙厚（接触壁部１０の厚さ）の２倍程度もあるため、上下２枚の被覆シート２の接触壁部１０の間には隙間１３が形成されることになる。従って、重ね合わされた２枚の被覆シート２の接触壁部１０は互いに接触せず、接触面５ａに塗布された粘着剤１２がすぐ上の被覆シート２に付着しない。
【００２６】
次に、被覆シートホルダ３及びキャップ部材４について説明する。
図１〜図３に示すように、被覆シートホルダ３は、その内径が被覆シート２の外径よりも少し大きい有底筒状のものであり、やや厚めの多少の剛性を有する紙で構成されている。図３に示すように、この被覆シートホルダ３内には、前述の被覆シート２が上下に複数枚積層した状態で収容されている。
【００２７】
ところで、聴診器のヘッド部５に、被覆シートホルダ３内に収容された被覆シート２を装着する場合には、ヘッド部５を被覆シートホルダ３内で下降させて、ヘッド部５の接触面５ａを積層した複数枚の被覆シート２のうちの一番上の被覆シート２の当接面１０ａに接触させて、当接面１０ａに塗布された粘着剤１２により被覆シート２を接触面５ａに密着させる。ここで、聴診器のヘッド部５には、ヘッド部５で拾った音を聴診器のイヤーピース（図示略）へ伝える接続チューブ５ｂが接続されている。そして、被覆シートホルダ３には、接続チューブ５ｂが被覆シート２の装着作業の邪魔にならないように、ヘッド部５を被覆シートホルダ３内で下降させる際に接続チューブ５ｂをガイドする為の上下方向に延びるスリット３ａが形成されている。
【００２８】
キャップ部材４も紙製の筒状の部材であり、被覆シート２を取り出すとき以外の状態では、キャップ部材４が被覆シートホルダ３に上方から外嵌状に装着されており、被覆シートホルダ３の上部がキャップ部材４により塞がれている。さらに、図１に示すように、この状態では、前述のスリット３ａもキャップ部材４により塞がれているため、被覆シート２を保管している間に被覆シートホルダ３内に雑菌や塵等が侵入するのを極力防止できる。
【００２９】
次に、被覆シートパッケージ１の作用について説明する。
図１に示すように、被覆シート２を被覆シートホルダ３内に保管している状態では、キャップ部材４が被覆シートホルダ３に上方から装着されて、被覆シートホルダ３の上方がキャップ部材４により塞がれている。この状態から、聴診器のヘッド部５に被覆シート２を装着する場合には、図２に示すように、キャップ部材４を取り外した後、図３の実線で示した位置から鎖線で示した位置まで、被覆シートホルダ３内においてヘッド部５を一番上の被覆シート２の位置まで下降させる。ここで、ヘッド部５が下降する際に、ヘッド部５に接続された接続チューブ５ｂがこの装着作業の邪魔にならないように、接続チューブ５ｂはスリット３ａによりガイドされる。
【００３０】
そして、ヘッド部５を一番上の被覆シート２の当接面１０ａに軽く押し付けて、当接面１０ａに塗布された粘着剤１２によりヘッド部５の接触面５ａにその被覆シート２を付着させる。このとき、粘着剤１２の粘着力は、聴診時にヘッド部５を患者の皮膚に押し付けるまでに被覆シート２がヘッド部５から簡単に落ちてしまわない程度のもので十分である。
【００３１】
このようにしてヘッド部５に被覆シート２が装着されると、ヘッド部５を持ち上げて被覆シートホルダ３から外に取り出した後、その状態でヘッド部を被覆シート２を介して患者の皮膚に押し当てて聴診を行う。そして、聴診後には、患者の皮膚に触れた被覆シート２をヘッド部５から剥がして、新しい未使用の被覆シート２を再びヘッド部５に装着する。
【００３２】
以上説明した被覆シート２及び被覆シートパッケージ１によれば、次のような効果が得られる。
１）複数枚の被覆シート２が上下に積層した状態では、上側の被覆シート２の接触壁部１０が下側の被覆シート２の縁部１１に下方から支持されて、上下の被覆シート２の接触壁部１０の間に隙間１３が形成されるため、それら複数枚の被覆シート２が互いに密着せず、当接面１０ａの粘着剤１２がすぐ上の被覆シート２に付着してしまうことがない。従って、被覆シートホルダ３内から被覆シート２を１枚だけ取り出すことが容易になる。
【００３３】
２）縁部１１が環状に形成されているため、複数枚の被覆シート２を積層した状態では、上側の被覆シート２の接触壁部１０を支持する下側の被覆シート２の縁部１１が折れ曲がりにくくなり、複数枚の被覆シート２が互いに密着してしまうのを防止できる。
【００３４】
３）被覆シート２が抗菌剤を含浸させた紙で構成されているので、被覆シート２を非常に薄く形成できるし、抗菌剤により、ヘッド部に装着される前の未使用の被覆シート２に雑菌が付着したり、ヘッド部を介して雑菌が患者に感染してしまうのを確実に防止できる。
【００３５】
４）複数枚の被覆シート２を積層して被覆シートホルダ３内にコンパクトに保管することができるし、上方開放状の被覆シートホルダ３から被覆シート２を取り出すのも容易である。さらに、普段は被覆シートホルダ３はキャップ部材４により上方から塞がれているため、被覆シートホルダ３内の未使用の被覆シート２に雑菌や塵等が付着するのを防止できる。
【００３６】
５）ヘッド部５を被覆シートホルダ３内で下降させて一番上の被覆シート２の当接面１０ａに軽く押し付けるだけで被覆シート２をヘッド部５に装着することができ、ヘッド部５に１枚の被覆シート２だけを容易に装着することができる。さらに、ヘッド部５を被覆シートホルダ３内で昇降させる際には、ヘッド部５に接続された接続チューブ５ｂがスリット３ａにガイドされるため、接続チューブ５ｂが被覆シート２の装着作業の邪魔にならない。
【００３７】
次に、前記実施形態に種々の変更を加えた変更形態について説明する。但し、前記実施形態と同じ構成を有するものについては、同じ符号を付して適宜その説明を省略する。
１］被覆シート２の当接面１０ａに粘着剤１２を塗布する位置は、当接面１０ａの中央部に限らず、外縁部付近（縁部１１のすぐ内側の部分）でもよい。さらには、当接面１０ａの全面に粘着剤１２を塗布してもよい。
【００３８】
２］被覆シートホルダ３やキャップ部材４の内面に、抗菌剤を塗布してもよい。
３］縁部を環状に形成する必要は必ずしもなく、接触壁部から部分的に上方（当接面１０ａ側）へ突出する形状に形成してもよい。
４］被覆シート２を構成する紙は抗菌剤を含浸させた紙である必要は必ずしもなく、抗菌剤が全体的あるいは部分的に塗布された紙で被覆シート２を構成してもよい。
【００３９】
５］図６に示すように、被覆シート２の縁部１１に、ヘッド部５に装着された被覆シート２をヘッド部５から剥がすためのタブ１５を設けてもよい。
６］被覆シート２の材質としては、患者の身体内の音をヘッド部５に伝達可能で且つ被覆シート２を薄く形成できるものであれば、紙以外の種々のものを使用できる。但し、接触壁部１０の中央部が容易に撓まない、多少の剛性を有するもの、例えば、合成樹脂等が望ましい。また、被覆シートホルダ３やキャップ部材４を合成樹脂等の他の材料で構成してもよい。
【００４０】
次に、本発明の別の実施形態について説明する。
図７〜図９は、この別実施形態の被覆シートパッケージ２０を示し、この被覆シートパッケージ２０は、上下に積層された複数枚の被覆シート２２と、これら積層された複数枚の被覆シート２２を収容する上方開放状の被覆シートホルダ２３と、この被覆シートホルダ２３に着脱可能に装着されて被覆シートホルダ２３を上方から塞ぐキャップ部材２４を有する。
【００４１】
図８に示すように、被覆シート２２は、抗菌剤を含浸させた薄い（例えば、厚さ０．６ｍｍ程度）の紙により円板状に形成されている。被覆シートホルダ２３は、前記実施形態のものと略同様のものであり、この被覆シートホルダ２３内に前述の被覆シート２２が複数枚積層して収容される。さらに、被覆シートホルダ２３には、前記実施形態と同様に、聴診器の接続チューブ５ｂをガイドするスリット２３ａも設けられている。
【００４２】
次に、キャップ部材２４について説明する。
図１０に示すように、キャップ部材２４は、紙製の筒状の部材であり、被覆シート２２を使用しないときには、このキャップ部材２４が被覆シートホルダ２３に上方から外嵌状に装着される。さらに、キャップ部材２４の上端部には、収容部２６が凹設されており、この収容部２６内には、被覆シート２２をヘッド部５の接触面５ａに付着させるための、固形状又はクリーム状の粘着剤２５が収容される。そして、キャップ部材２４の上端側部分には蓋部材２７が着脱可能に装着され、この蓋部材２７により収容部２６が塞がれる。
【００４３】
次に、この被覆シートパッケージ２０の作用について説明する。
図７に示すように、被覆シートホルダ２３内に被覆シート２２を保管している状態では、被覆シートホルダ２３の上部がキャップ部材２４により塞がれている。この状態から、聴診器のヘッド部５に被覆シート２２を装着する場合には、まず、蓋部材２７をキャップ部材２４から取り外してから、ヘッド部５を収容部２６内の粘着剤２５に接触させて、ヘッド部５の接触面５ａに粘着剤２５を付着させる。
【００４４】
次に、キャップ部材２４を被覆シートホルダ２３から取り外してから、図９に示すように、被覆シートホルダ２３内においてヘッド部５を一番上の被覆シート２２の位置まで下降させる。そして、ヘッド部５を一番上の被覆シート２２の上面に軽く押し付けて、粘着剤２５によりヘッド部の接触面５ａにその被覆シート２２を付着させる。
【００４５】
この被覆シートパッケージ２０によれば、前記実施形態と同様に、ヘッド部５に容易に１枚の被覆シート２２を装着できる。さらに、被覆シート２２には予め粘着剤２５を塗布しておく必要がないため、被覆シート２２の製造コストを低減できる。さらに、キャップ部材２４に粘着剤２５を収容する収容部２６を設けたので、粘着剤２５を被覆シート２２と一体的に保管でき、保管が容易である。
【００４６】
尚、勿論、粘着剤２５を別の容器に収容してもよい。また、粘着剤２５としては、前述の固形状あるいはクリーム状のものに限らず、液状のものでもよい。さらには、前記別実施形態では、ヘッド部５を直接粘着剤２５に接触させるように構成したが、ローラ等を介して接触面５ａに粘着剤２５を付着させるようにしてもよい。
【００４７】
【発明の効果】請求項１の発明によれば、被覆シートは、接触面よりも大径に形成され接触面に当接する当接面を有する接触壁部と、この接触壁部の外縁部から当接面側に立ち上がった縁部とを有するので、被覆シートの保管等のために、複数枚の被覆シートを上下に重ね合わせた場合でも、上側の被覆シートの接触壁部が下側の被覆シートの縁部に下方から支持されるため、それら複数枚の被覆シートが互いに密着してしまうことがない。従って、複数枚の被覆シートを上下に積層して保管した状態から、被覆シートを１枚だけ取り出すことが容易になる。
【００４８】
請求項２の発明によれば、２枚の被覆シートを上下に重ねた状態では、上側の被覆シートの接触壁部が下側の被覆シートの縁部に下方から支持され、上下の被覆シートの接触壁部の間に隙間が形成されるため、複数枚の被覆シートを積層した場合に、それら複数枚の被覆シートが互いに密着してしまうことがない。つまり、複数枚の被覆シートを上下に積層した状態で保管する場合でも、それら複数枚の被覆シートから被覆シートを１枚だけ取り出すことが容易になる。
【００４９】
請求項３の発明によれば、複数枚の被覆シートを重ね合わせた状態では、上側の被覆シートの接触壁部が下側の被覆シートの縁部に下方から支持されており、一方の被覆シートの当接面の少なくとも一部に塗布された粘着剤が他方の被覆シートに付着することがなく、積層された複数枚の被覆シートから被覆シートを１枚だけ取り出すことが容易になる。さらに、粘着剤により被覆シートがヘッド部の接触面に密着するため、聴診時に被覆シートがヘッド部に対してずれることがなく、雑音の発生を抑えることができる。
【００５０】
請求項４の発明によれば、縁部が環状に形成されているため、複数枚の被覆シートを積層した状態では、上側の被覆シートの接触壁部を支持する下側の被覆シートの縁部が折れ曲がりにくくなり、複数枚の被覆シートが互いに密着してしまうことがない。
【００５１】
請求項５の発明によれば、被覆シートが抗菌剤を担持させた紙又は合成樹脂で構成されているので、被覆シートを非常に薄い形状に構成することができるし、さらに、抗菌剤により、聴診器のヘッド部に装着する前の未使用の被覆シートに雑菌が付着したり、ヘッド部を介して雑菌等が患者に感染してしまうのを確実に防止できる。
【００５２】
請求項６の発明によれば、複数枚の被覆シートを積層して被覆シートホルダ内にコンパクトに保管することができるし、被覆シートホルダから被覆シートを取り出すのも容易である。さらに、普段は、被覆シートホルダがキャップ部材により上方から塞がれているため、被覆シートホルダ内の未使用の被覆シートに雑菌やほこり等が付着するのを防止できる。
【００５３】
請求項７の発明によれば、被覆シートホルダ内では、複数枚の被覆シートが積層した状態で収容されているが、２枚の被覆シートの間において、上側の被覆シートの接触壁部が下側の被覆シートの縁部に下方から支持され、上下２枚の被覆シートの接触壁部の間に隙間が形成されているため、複数枚の被覆シートが互いに密着してしまうことがない。つまり、被覆シートホルダ内で積層された複数枚の被覆シートから、被覆シートを１枚だけ取り出すことが容易になる。
【００５４】
請求項８の発明によれば、被覆シートホルダ内でヘッド部を下降させ、そのヘッド部の接触面を、被覆シートホルダ内の積層された複数枚の被覆シートのうちの一番上にある被覆シートに接触させて、ヘッド部の接触面に１枚の被覆シートを着脱可能に装着することができるので、聴診器のヘッド部に１枚の被覆シートを容易に装着することができる。
【００５５】
請求項９の発明によれば、ヘッド部に被覆シートを装着する際には、ヘッド部に接続された接続チューブがスリットにガイドされた状態で、ヘッド部が被覆シートホルダ内で下降することになるため、ヘッド部を下降させる際に接続チューブが被覆シートの装着作業の邪魔にならない。
【図面の簡単な説明】
【図１】本発明の実施形態に係る被覆シートパッケージの斜視図である。
【図２】被覆シートホルダの斜視図である。
【図３】被覆シートホルダの縦断面図である。
【図４】被覆シートの斜視図である。
【図５】図４の縦断面図である。
【図６】変更形態の図４相当図である。
【図７】別実施形態に係る被覆シートパッケージの斜視図である。
【図８】被覆シートホルダの斜視図である。
【図９】被覆シートホルダの縦断面図である。
【図１０】キャップ部材及び蓋部材の縦断面図である。
【符号の説明】
１        被覆シートパッケージ
２        被覆シート
３        被覆シートホルダ
３ａ    スリット
４        キャップ部材
５        ヘッド部
５ａ    接触面
５ｂ    接続チューブ
１０    接触壁部
１０ａ            当接面
１１    縁部
１２    粘着剤
１３    隙間
２０    被覆シートパッケージ
２２    被覆シート
２３    被覆シートホルダ
２３ａ            スリット
２４    キャップ部材
【図１】
2004329245.tif 000003
【図２】
2004329245.tif 000004
【図３】
2004329245.tif 000005
【図４】
2004329245.tif 000006
【図５】
2004329245.tif 000007
【図６】
2004329245.tif 000008
【図７】
2004329245.tif 000009
【図８】
2004329245.tif 000010
【図９】
2004329245.tif 000011
【図１０】
2004329245.tif 000012